(57)【要約】【課題】センタリング状態を維持して長尺ワークを支持することのできる支持装置を提供する。【解決手段】本発明に係る長尺ワークの支持装置７０は、センタリングした状態の長尺ワークＷを支持するための装置であって、長尺ワークＷの外周面に当接する複数の爪部７１，７１，７１と、油圧で作動し、各爪部７１，７１，７１をそれぞれ外周面に対して進退可能に駆動する爪部７１，７１，７１と同数の油圧アクチュエータ部７２，７２，７２と、複数の油圧アクチュエータ部７２，７２，７２に油圧を供給する油圧供給部７３とを備える。油圧供給部７３は、分岐して複数の油圧アクチュエータ部７２，７２，７２にそれぞれ接続される油圧供給路７４を有する。【選択図】図１４
2019171518.tif 000002
【特許請求の範囲】
【請求項１】
センタリングした状態の長尺ワークを支持するための装置であって、
前記長尺ワークの外周面に当接する複数の爪部と、
油圧で作動し、前記各爪部をそれぞれ前記外周面に対して進退可能に駆動する前記爪部と同数の油圧アクチュエータ部と、
前記複数の油圧アクチュエータ部に前記油圧を供給する油圧供給部とを備え、
前記油圧供給部は、分岐して前記複数の油圧アクチュエータ部にそれぞれ接続される油圧供給路を有する、長尺ワークの支持装置。
【請求項２】
前記長尺ワークは、旋盤の主軸にセンタリングされた状態で取り付けられ、
前記旋盤は、工具を装着可能な工具台を有し、前記工具台は、前記工具台に装着した状態の前記工具に駆動力を付与する電動モータを有し、
前記油圧供給部は前記油圧供給路を介して前記複数の油圧アクチュエータと接続される油圧ポンプを有し、前記油圧ポンプが、前記電動モータの駆動力を受けて前記油圧を発生可能なように、前記電動モータに接続されている請求項１に記載の長尺ワーク支持装置。
【発明の詳細な説明】
【技術分野】
【０００１】
本発明は、長尺ワークの支持装置に関する。
【背景技術】
【０００２】
例えば、自動車エンジン用のクランクシャフトは、通常、鍛造等で成形したクランクシャフト素材（以下、本明細書ではクランクシャフトと称する。）に対して、まずその軸方向両端面を切削し、センタリング加工を施すことで、クランクシャフトの全長決めと、回転中心の設定を行う。次いで、ジャーナル部の外周面に切削加工を施すと共に、ピン部の外周面に切削加工を施す。また、油穴開け加工やねじタップ加工などの機械加工を施す（例えば、特許文献１を参照）。また、必要に応じて、熱処理後にリセンタ加工などの機械加工を施す場合もある。
【０００３】
このうち、ねじタップ加工などの端面加工は、クランクシャフトの軸方向一端側のみを旋盤の主軸で支持した状態で行われる。そのため、上記端面加工の際には、クランクシャフトが片持ち支持の状態とならないように、クランクシャフトの軸方向他端側を振れ止め装置で支持することが多い。
【０００４】
ここで、例えば特許文献２には、クランクシャフトのピン部を研削する際に使用する振れ止め装置が提案されている。この振れ止め装置は、各先端がクランクシャフトの外周面と当接する三つの振れ止めアームと、各振れ止めアームを駆動する三つのサーボモータとを有する。各振れ止めアームとサーボモータとはそれぞれ、スクリューシャフト、さらにはロッドを介して相互に連結されており、ロッドはサーボモータの回転量に応じて前後動する。これにより、各振れ止めアームの駆動量（外周面に対する各アーム先端部の位置）は、サーボモータの回転量に応じて決定される構造となっている。
【先行技術文献】
【特許文献】
【０００５】
【特許文献１】特開平６−３１５４２号公報
【特許文献２】特開平１１−１７９６４０号公報
【発明の概要】
【発明が解決しようとする課題】
【０００６】
特許文献２に記載の振れ止め装置は、サーボモータの駆動力でクランクシャフトを支持する構造をとっている。そのため、上述のように、クランクシャフトを長手方向一端側のみで支持（片持ち支持）した状態であっても直前のセンタリング状態を維持する必要がある場合、上記構造の振れ止め装置では、支持力（振れ止め力）が十分とはいえなかった。また、上述のように各振れ止めアームがサーボモータでそれぞれ独立駆動される構造を採る場合、クランクシャフトのセンタリング位置がずれないように、各振れ止めアームの駆動を各サーボモータで制御することは非常に困難であった。
【０００７】
上記課題は何もクランクシャフトの加工工程に限ったことではなく、センタリングした状態を維持して長尺ワークを支持する必要がある場合全てに起こり得る。
【０００８】
以上の事情に鑑み、本発明では、センタリング状態を維持して長尺ワークを支持することのできる支持装置を提供することを、解決すべき技術課題とする。
【課題を解決するための手段】
【０００９】
前記課題の解決は、本発明に係る長尺ワークの支持装置によって達成される。すなわち、この支持装置は、センタリングした状態の長尺ワークを支持するための装置であって、長尺ワークの外周面に当接する複数の爪部と、油圧で作動し、各爪部をそれぞれ外周面に対して進退可能に駆動する爪部と同数の油圧アクチュエータ部と、複数の油圧アクチュエータ部に油圧を供給する油圧供給部とを備え、油圧供給部は、分岐して複数の油圧アクチュエータ部にそれぞれ接続される油圧供給路を有する点をもって特徴付けられる。
【００１０】
このように、本発明に係る長尺ワークの支持装置では、それぞれ油圧アクチュエータ部で駆動する複数の爪部で長尺ワークの外周面を支持すると共に、爪部と同数の油圧アクチュエータ部に油圧を供給する油圧供給部に、分岐して複数の油圧アクチュエータ部にそれぞれ接続される油圧供給路を設けた構成とした。このように、分岐して複数の油圧アクチュエータ部にそれぞれ接続される油圧供給路を通じて、各油圧アクチュエータ部に油圧を供給可能とすることにより、均等な大きさの油圧が各油圧アクチュエータ部に供給される。よって、各油圧アクチュエータの作動により、対応する各爪部を介して自動的に複数の方向から均等な力で長尺ワークの外周面を支持することができる。これにより、既にセンタリングされた状態の長尺ワークの位置（センタリング位置）を維持しつつ、長尺ワークの外周面を支持することが可能となる。また、上述のように油圧供給路を設けることで、支持装置の幾何学中心が長尺ワークのセンタリング位置からずれていても、均等な大きさの油圧が各油圧アクチュエータ部に供給されることで、長尺ワークのセンタリング位置を保ちつつ、複数の方向から均等な力で長尺ワークの外周面を支持することが可能となる。従って、例えば旋盤の主軸によりセンタリング状態で支持されるクランクシャフトに対して高精度な端面加工を施すことが可能となる。
【００１１】
また、本発明に係る長尺ワークの支持装置においては、長尺ワークは、旋盤の主軸にセンタリングされた状態で取り付けられ、旋盤は、工具を装着可能な工具台を有し、工具台は、工具台に装着した状態の工具に駆動力を付与する電動モータを有し、油圧供給部は油圧供給路を介して三つの油圧アクチュエータと接続される油圧ポンプを有し、油圧ポンプが、電動モータの駆動力を受けて油圧を発生可能なように、電動モータに接続されてもよい。
【００１２】
本発明に係る支持装置は、長尺ワークをセンタリングした状態の長尺ワークに所定の加工を施す加工装置上であれば、任意の位置に設置することができるが、設備小型化の観点から、上述のように工具台に取付けるのがよい。具体的には、長尺ワークが旋盤の主軸にセンタリングされた状態で取り付けられる場合、油圧供給部に油圧ポンプを設けて、この油圧ポンプを、旋盤の工具台に内蔵された電動モータに接続するのがよい。このように構成することで、加工装置（旋盤）の駆動装置（電動モータ）とは別に油圧供給のための動力源を設けることなく、油圧アクチュエータ部に油圧を供給できる。よって、支持装置をコンパクトに構成できる。
【発明の効果】
【００１３】
以上のように、本発明に係る長尺ワークの支持装置によれば、センタリング状態を維持して長尺ワークを支持することが可能となる。
【図面の簡単な説明】
【００１４】
【図１】本発明の一実施形態に係るクランクシャフトの加工方法の手順を示したフローである。
【図２】図１に示すクランクシャフトの加工方法を実施するための加工ラインの一構成例を概念的に示した平面図である。
【図３】図２に示す機械加工工程で使用される加工装置の平面図である。
【図４】図３に示す加工装置の側面図である。
【図５】図４に示すクランプ装置のアンクランプ状態におけるＡ矢視図である。
【図６】図４に示すクランク装置のクランプ状態におけるＡ矢視図である。
【図７】図４に示すクランプ装置の油圧回路図である。
【図８】図３に示す加工装置を用いたクランクシャフトの全長決め工程とセンタリング工程の一実施例を説明するための側面図である。
【図９】図３に示す加工装置を用いたクランクシャフトのジャーナル部切削工程の一実施例を説明するための側面図である。
【図１０】ピン部切削用の切削ユニットの要部側面図である。
【図１１】図１０に示す切削ユニットのＢ矢視図である。
【図１２】図１０に示す切削ユニットを用いたクランクシャフトのピン部切削工程の一実施例を説明するための側面図である。
【図１３】クランクシャフトの支持装置の側面図である。
【図１４】図１３に示す支持装置のＣ矢視図である。
【図１５】図１３に示す支持装置を具備した加工装置を用いたクランクシャフトのねじタップ加工工程の一実施例を説明するための側面図である。
【発明を実施するための形態】
【００１５】
以下、本発明の一実施形態に係る長尺ワークの支持装置の内容を図面に基づき説明する。本実施形態では、クランクシャフトの加工ラインを例にとって、いかに説明する。
【００１６】
図１は、本実施形態に係るクランクシャフトの加工方法の手順を示したフローである。この加工方法は、例えば鍛造等で成形したクランクシャフトに対して所定の機械加工を施して所定の形状にクランクシャフトを加工する機械加工工程Ｓ１と、機械加工工程Ｓ１を経たクランクシャフトに所定の熱処理を施す熱処理工程Ｓ２と、熱処理工程Ｓ２後のクランクシャフトを所定の製品形状に仕上げる仕上げ加工工程Ｓ３とを具備する。
【００１７】
このうち、機械加工工程Ｓ１は、クランクシャフトの軸方向両端面を切削して、クランクシャフトの軸方向全長を設定する全長決め工程Ｓ１１と、クランクシャフトにセンタリング加工を施して軸方向両端面にセンタ穴を設けるセンタリング工程Ｓ１２と、クランクシャフトのジャーナル部に切削加工を施すジャーナル部切削工程Ｓ１３と、クランクシャフトのピン部に切削加工を施すピン部切削工程Ｓ１４と、クランクシャフトに油穴加工を施す油穴加工工程Ｓ１５、及びクランクシャフトの軸方向両端面にねじタップ加工を施すねじタップ加工工程Ｓ１６とを備える。また、仕上げ加工工程Ｓ３は、クランクシャフトの両端面を研削する端面研削工程Ｓ３１と、クランクシャフトのピン部を研削するピン部研削工程Ｓ３２と、クランクシャフトのジャーナル部を研削するジャーナル部研削工程Ｓ３３とを備える。なお、クランクシャフトの種類、仕様によっては、上記以外の加工工程をさらに具備することはもちろんである。
【００１８】
図２は、図１に示す手順でクランクシャフトを加工するためのクランクシャフトの加工ライン１の全体構成を示す平面図である。この図に示すように、本実施形態に係るクランクシャフトの加工ライン１は、機械加工工程Ｓ１と、熱処理工程Ｓ２と、仕上げ加工工程Ｓ３とを直列的に配設してなるもので、機械加工工程Ｓ１は、図１に示す全ての機械加工工程（全長決め工程Ｓ１１、センタリング工程Ｓ１２、ジャーナル部切削工程Ｓ１３、ピン部切削工程Ｓ１４、油穴加工工程Ｓ１５、ねじタップ加工工程Ｓ１６）を実施する機械加工装置１０を備える。また、熱処理工程Ｓ２は、クランクシャフトに所定の熱処理を施すための熱処理装置２０を備え、仕上げ加工工程Ｓ３は、端面研削工程Ｓ３１でクランクシャフトの両端面に研削加工を施すための第一研削加工装置３０ａと、ピン部研削工程Ｓ３２でクランクシャフトのピン部に研削加工を施すための第二研削加工装置３０ｂ、及びジャーナル部研削工程Ｓ３３でクランクシャフトのジャーナル部に研削加工を施すための第三研削加工装置３０ｃとを備える。以下、機械加工装置１０の詳細を説明する。
【００１９】
機械加工装置１０は、図３に示すように、旋盤４０と、クランプ装置５０とを主に有する。このうち、旋盤４０は、ベッド４１と、ベッド４１に取付けられる主軸４２と、主軸４２に対して相対移動する心押し台４３と、第一工具台４４及び第二工具台４５とを有する。第一工具台４４及び第二工具台４５はベッド４１に対して三次元に移動可能（図３でいえばＸＹＺ全ての方向に移動可能）に構成されている。本実施形態では、第一工具台４４の工具取付け部４４ａに、フライス４６やドリル４７などの工具が装着され、第二工具台４５の工具取付け部４５ａに本発明に係るクランプ装置５０が装着されている。
【００２０】
クランプ装置５０は、図４〜図６に示すように、油圧ポンプ５１と、油圧ポンプ５１で発生させた油圧で作動する油圧アクチュエータ５２と、油圧アクチュエータ５２の作動によりクランクシャフトＷ（図５中、二点鎖線で示している）をクランプする一対のクランプ部５３，５３とを主に有する。本実施形態では、長尺ワークとしてのクランクシャフトＷを軸方向に離間した二箇所でクランプするため、二対のクランプ部５３，５３，５４，５４が油圧アクチュエータ５２に取付けられている（図４を参照）。
【００２１】
ここで、油圧ポンプ５１は、第二工具台４５の工具取付け部４５ａ外周に装着されている。工具取付け部４５ａには駆動装置としての電動モータ４５ｂが内蔵されており（図４中、破線で示している）、この電動モータ４５ｂの駆動力で油圧ポンプ５１が油圧を発生可能なように、電動モータ４５ｂの出力軸４５ｂ１と油圧ポンプ５１の入力軸（図示は省略）とが連結可能に構成されている。なお、本実施形態では、工具取付け部４５ａが回転することで、工具取付け部４５ａに装着されたクランプ装置５０も一体的に回転する。そして、工具台４５に内蔵される電動モータ４５ｂの位相と油圧ポンプ５１の位相とを一致させることで、電動モータ４５ｂの出力軸４５ｂ１に油圧ポンプ５１の入力軸が連結されるようになっている。後述する切削ユニット６０の油圧ポンプ６３と電動モータ４５ｂとの連結態様、及び、支持装置７０の油圧ポンプ７３と電動モータ４５ｂとの連結態様についても同様である。
【００２２】
油圧アクチュエータ５２は、本実施形態では図５に示すように、油圧シリンダ５５と、油圧シリンダ５５の運動方向を、一対のクランプ部５３，５３のクランプ方向に転換するリンク部５６と、油圧ポンプ５１で発生させた油圧を油圧シリンダ５５内に供給する油圧供給路５７ａ，５７ｂとを有する。本実施形態では、油圧シリンダ５５は、いわゆる復動式の油圧シリンダであって、油圧ポンプ５１の第一ポート５１ａと、油圧シリンダ５５の第一油室５５ａとが、第一油圧供給路５７ａで接続されている。また、油圧ポンプ５１の第二ポート５１ｂと、油圧シリンダ５５の第二油室５５ｂとが、第二油圧供給路５７ｂで接続されている。第一油室５５ａと第二油室５５ｂとは、直動部５５ｃで区画されている。これにより、油圧ポンプ５１の回転駆動方向に応じて、油圧シリンダ５５の第一油室５５ａと第二油室５５ｂの何れか一方に油圧が供給され、油圧シリンダ５５の直動部５５ｃが所定の向きに直線移動するようになっている。
【００２３】
具体的には、油圧ポンプ５１が、電動モータ４５ｂ（図４を参照）の回転駆動方向に応じて、第一の方向Ｒ１（図７を参照）に回転した場合、第一ポート５１ａから第一油圧供給路５７ａを介して所定の油圧が油圧シリンダ５５の第一油室５５ａに供給される。これにより、油圧シリンダ５５の直動部５５ｃは油圧ポンプ５１側に押し込まれるので、リンク部５６を介して一対のクランプ部５３，５３が互いに接近する向きに移動する（図６に示す状態）。また、油圧ポンプ５１が、電動モータ４５ｂの回転駆動方向に応じて、第二の方向Ｒ２（図７を参照）に回転した場合、第二ポート５１ｂから第二油圧供給路５７ｂを介して所定の油圧が油圧シリンダ５５の第二油室５５ｂに供給される。これにより、油圧シリンダ５５の直動部５５ｃはクランクシャフトＷ側に押し込まれるので、リンク部５６を介して一対のクランプ部５３，５３が互いに離れる向きに移動する（図５に示す状態）。なお、図５及び図６には、油圧シリンダ５５とリンク部５６が一個ずつ示されているが、実際には、二対のクランプ部５３，５３（５４，５４）それぞれに油圧シリンダ５５とリンク部５６が設けられている。
【００２４】
また、本実施形態に係る機械加工装置１０は、旋盤４０と、クランプ装置５０に加えて、クランクシャフトＷの外周面を切削するための切削ユニット６０（図１０を参照）と、クランクシャフトＷを回転可能に支持するための支持装置７０（図１３を参照）とをさらに有する。
【００２５】
このうち、切削ユニット６０は、例えば図１０及び図１１に示すように、旋盤４０の第二工具台４５に装着した状態で使用するもので、クランクシャフトＷの外周面に切削加工を行うための切削用カッタ６１と、切削用カッタ６１を回転させる回転装置６２とを備える。本実施形態では、切削用カッタは外刃切削用カッタである。また、回転装置６２は、第二工具台４５の電動モータ４５ｂに接続される油圧ポンプ６３と、電動モータ４５ｂの駆動により油圧ポンプ６３で生じた油圧で作動する油圧モータ６４とを有する。
【００２６】
ここで、電動モータ４５ｂの出力軸４５ｂ１と油圧ポンプ６３の入力軸（図示は省略）とは、電動モータ４５ｂの駆動力で油圧ポンプ６３が油圧を発生可能なように、相互に連結されている。また、油圧モータ６４の一次側と油圧ポンプ６３とは、油圧供給路６５ａを介して接続されており、油圧モータ６４の二次側は油圧排出路６５ｂに接続されている。これにより、油圧ポンプ６３で発生させた油圧が油圧供給路６５ａを介して一次側から油圧モータ６４に供給され、油圧モータ６４の二次側から排出される。このような油圧の移動に伴い、油圧モータ６４の回転軸６４ａが所定の向きに回転し、回転軸６４ａと連結部材６６を介して連結される切削用カッタ６１が所定の向きに回転するようになっている。
【００２７】
支持装置７０は、センタリングした状態のクランクシャフトＷを回転可能に支持するための装置であって、図１３に示すように、第二工具台４５の工具取付け部４５ａに装着される。この支持装置７０は、図１４に示すように、クランクシャフトＷの外周面に当接可能な複数の爪部７１，７１，７１と、油圧で作動し、各爪部７１，７１，７１をそれぞれクランクシャフトＷの外周面に対して進退可能に駆動する爪部と同数の油圧アクチュエータ部としての油圧シリンダ７２，７２，７２と、複数の油圧シリンダ７２，７２，７２に油圧を供給する油圧供給部としての油圧ポンプ７３とを有する。本実施形態では、三つの爪部７１，７１，７１と、三つの油圧シリンダ７２，７２，７２と、一つの油圧ポンプ７３とが支持装置７０に設けられている。
【００２８】
また、油圧ポンプ７３は、分岐して三つの油圧シリンダ７２，７２，７２にそれぞれ接続される油圧供給路７４を有する。具体的には、油圧供給路７４は、図１４に示すように、油圧ポンプ７３の第一ポート７３ａと、各油圧シリンダ７２，７２，７２の第一油室７２ａ，７２ａ，７２ａとを相互に接続する第一油圧供給路７４ａと、油圧ポンプ７３の第二ポート７３ｂと、各油圧シリンダ７２，７２，７２の第二油室７２ｂ，７２ｂ，７２ｂとを相互に接続する第二油圧供給路７４ｂとを有する。第一油室７２ａと第二油室７２ｂとは、直動部７２ｃで区画されている。これにより、油圧ポンプ７３の回転駆動方向に応じて、各油圧シリンダ７２の第一油室７２ａと第二油室７２ｂの何れか一方に油圧が供給され、油圧シリンダ７２の直動部７２ｃが所定の向きに直線移動するようになっている。
【００２９】
また、上述した三つの油圧シリンダ７２，７２，７２の各第一油室７２ａ，７２ａ，７２ａは、第一油圧供給路７４ａを介して、相互に油圧の伝達媒体（通常、油）を流通可能としている。また、三つの油圧シリンダ７２，７２，７２の各第二油室７２ｂ，７２ｂ，７２ｂは、第二油圧供給路７４ｂを介して、相互に油圧の伝達媒体を流通可能としている。そのため、各油圧シリンダ７２の第一油室７２ａ側及び第二油室７２ｂ側から直動部７２ｃに作用する油圧の大きさが、全ての油圧シリンダ７２，７２，７２において均等になるよう、油圧の均等化が自動的に図られるようになっている。
【００３０】
また、油圧ポンプ７３は、第二工具台４５に内蔵された電動モータ４５ｂとの間で動力伝達が可能となるように構成されている。具体的には、クランプ装置５０の油圧ポンプ５１と同様、電動モータ４５ｂの駆動力で油圧ポンプ７３が油圧を発生可能なように、電動モータ４５ｂの出力軸４５ｂ１と油圧ポンプ７３の出力軸（図示は省略）とが連結可能に構成されている。
【００３１】
上記構成の機械加工装置１０を用いたクランクシャフトＷの機械加工工程Ｓ１は、例えば以下のようにして行われる。
【００３２】
（Ｓ１１）全長決め工程
（Ｓ１２）センタリング工程
上記工程では、旋盤４０の第二工具台４５に装着したクランプ装置５０を用いて、クランクシャフトＷを保持した状態で、クランクシャフトＷの両端面Ｗｃ，Ｗｃに切削加工を施す。また、両端面Ｗｃ，Ｗｃにセンタリング加工（図示しないセンタ穴を開ける加工）を施す。具体的には、まず図８に示すように、第二工具台４５の工具取付け部４５ａを回転させて、二対のクランプ部５３，５３（５４，５４）がともに上方（図８でいえばＺ方向）を指向する位置に、クランプ装置５０を配置する。そして、図示しないガントリローダ等で吊り下げ支持した状態のクランクシャフトＷをクランプ装置５０上に移動させ、あるいはクランクシャフトＷの下方位置まで第二工具台４５を移動させた状態から、クランクシャフトＷを下降させる。これにより、各一対のクランプ部５３，５３（５４，５４）間にクランクシャフトＷのジャーナル部Ｗａを導入する（図５に示す状態）。
【００３３】
そして、各一対のクランプ部５３，５３（５４，５４）間にクランクシャフトＷが導入された状態で、第二工具台４５の電動モータ４５ｂを駆動し、電動モータ４５ｂの出力軸４５ｂ１と連結状態にあるクランプ装置５０の油圧ポンプ５１を作動させる。これにより、油圧が発生すると共に、発生した油圧が、第一ポート５１ａ、さらには第一油圧供給路５７ａを介して、油圧シリンダ５５の第一油室５５ａに供給される。これにより、油圧シリンダ５５の直動部５５ｃが油圧ポンプ５１側に押し込まれ、リンク部５６と各一対のクランプ部５３，５３（５４，５４）との協働により、各一対のクランプ部５３，５３（５４，５４）が互いに接近する向きに移動する。この結果、図６に示すように、各一対のクランプ部５３，５３（５４，５４）によりクランクシャフトＷのジャーナル部Ｗａが二箇所でクランプされ、所定の位置で固定される。
【００３４】
このようにして、旋盤４０の主軸４２から外れた位置でクランクシャフトＷを固定した状態で、第一工具台４４の工具取付け部４４ａを回転する等して、工具取付け部４４ａに装着した状態のフライス４６を第一工具台４４に内蔵した電動モータ４４ｂの出力軸４４ｂ１と連結した状態とする。そして、電動モータ４４ｂの駆動によりフライス４６を回転させながら、クランクシャフトＷの軸方向両端面Ｗｃ，Ｗｃに当接させる。これにより、クランクシャフトＷの両端面Ｗｃに対する切削加工を開始する。この結果、クランクシャフトＷの軸方向全長が所定の大きさに設定される（全長決め工程Ｓ１１）。なお、この際、クランクシャフトＷを完全に固定した状態で、フライス４６（第一工具台４４）のみを移動させて、両端面Ｗｃ，Ｗｃに順次切削加工を施してもよいし、第一工具台４４と共に第二工具台４５を移動させて、両端面Ｗｃ，Ｗｃに順次切削加工を施してもよい。何れにしても、上記切削加工の間、クランクシャフトＷや各工具台４４，４５との干渉を回避する目的で、心押し台４３を主軸４２に対して後退させておくのがよい。後述するセンタリング工程Ｓ１２の際も同様である。
【００３５】
また、工具取付け部４４ａの回転等により、フライス４６と同じく第一工具台４４の工具取付け部４４ａに装着したドリル４７を電動モータ４４ｂの出力軸４４ｂ１と連結した状態とし、電動モータ４４ｂの駆動によりドリル４７を回転させながら、クランクシャフトＷの両端面Ｗｃ，Ｗｃに押し込む。これにより、クランクシャフトＷの両端面Ｗｃ，Ｗｃにセンタリング加工を施し、センタ穴（図示は省略）を各端面Ｗｃ，Ｗｃに形成する（センタリング工程Ｓ１２）。
【００３６】
（Ｓ１３）ジャーナル部切削工程
この工程では、図８に示す状態から、第二工具台４５を移動させて、クランプ装置５０で保持されているクランクシャフトＷを主軸４２と心押し台４３との間に移載する。具体的には、第二工具台４５とともにクランプ装置５０を移動させて、クランクシャフトＷの軸方向一端部を主軸４２に導入し、主軸４２のチャック部４２ａでクランクシャフトＷの一端部を保持する。そして、心押し台４３を主軸４２に接近させ、両端面Ｗｃ，Ｗｃに形成したセンタ穴を利用して、主軸４２と心押し台４３とでクランクシャフトＷをセンタリングした状態で支持する。このようにして、主軸４２と心押し台４３とでクランクシャフトＷが回転支持された状態を確認した後、電動モータ４５ｂの回転駆動により油圧ポンプ５１を第二の方向Ｒ２に回転させ（図７を参照）、各一対のクランプ部５３，５３（５４，５４）によるクランプ状態を解除する（図５に示す状態）。クランプ状態の解除後、第二工具台４５を移動させてクランプ装置５０をクランクシャフトＷから離脱させる。
【００３７】
そして、主軸４２の回転駆動により、クランクシャフトＷを回転させた状態で、フライス４６やドリル４７と同じく第一工具台４４の工具取付け部４４ａに装着した切削用バイト４８をクランクシャフトＷのジャーナル部Ｗａに当接させる（図９を参照）。これにより、クランクシャフトＷの各ジャーナル部Ｗａの外周面を所定の外径寸法に切削する（ジャーナル部切削工程Ｓ１３）。
【００３８】
（Ｓ１４）ピン部切削工程
この工程では、図９に示す状態から、すなわち主軸４２と心押し台４３とでクランクシャフトＷを回転可能に支持した状態から、第一工具台４４を退避させると共に、第二工具台４５の工具取付け部４５ａに装着した状態の切削ユニット６０を、第二工具台４５に内蔵した電動モータ４５ｂの出力軸４５ｂ１と連結した状態とする。そして、主軸４２の回転駆動によりクランクシャフトＷを回転させると共に、電動モータ４５ｂの駆動により油圧ポンプ６３で油圧を発生させ、発生させた油圧で油圧モータ６４を回転駆動する。これにより、油圧モータ６４の回転軸６４ａに連結された切削ユニット６０の切削用カッタ６１を回転させながら、切削用カッタ６１の外周面をクランクシャフトＷのピン部Ｗｂ外周面に当接させる（図１２を参照）。また、クランクシャフトＷの回転に応じて切削用カッタ６１（第二工具台４５）を移動させる。以上の動作により、ピン部Ｗｂの外周面を全周及び軸方向全長にわたって切削する（ピン部切削工程Ｓ１４）。
【００３９】
（Ｓ１５）油穴加工工程
この工程では、図１２に示す状態から、第一工具台４４の工具取付け部４４ａに装着した状態の油穴開け用ドリル（図示は省略）を電動モータ４４ｂの出力軸４４ｂ１と連結した状態とする。そして、電動モータ４４ｂの駆動により油穴開け用ドリルを回転させながら、クランクシャフトＷの所定部位に油穴開け用ドリルを押し込む。これにより、クランクシャフトＷの所定部位に所定の油穴を形成する（油穴加工工程Ｓ１５）。
【００４０】
（Ｓ１６）ねじタップ加工工程
この工程では、主軸４２と心押し台４３とで回転可能に支持された状態のクランクシャフトＷを、第二工具台４５の工具取付け部４５ａに装着した状態の支持装置７０で回転可能に支持する。具体的には、工具取付け部４５ａの回転等により、支持装置７０の油圧ポンプ７３を第二工具台４５の電動モータ４５ｂの出力軸４５ｂ１に連結した状態とする。そして、第二工具台４５を移動させて、クランクシャフトＷの所定部位（例えば最も主軸４２から離れたジャーナル部Ｗａ）を、支持装置７０の三つの爪部７１，７１，７１間に導入する（図１４及び図１５を参照）。
【００４１】
然る後、第二工具台４５の電動モータ４５ｂを回転駆動して、油圧ポンプ７３で所定の油圧を発生させると共に、発生させた油圧を、第一ポート７３ａ、さらには第一油圧供給路７４ａを介して、三つの油圧シリンダ７２，７２，７２の各第一油室７２ａ，７２ａ，７２ａに供給する。これにより、三つの油圧シリンダ７２，７２，７２の各直動部７２ｃ，７２ｃ，７２ｃがクランクシャフトＷ側に向けて押し込まれ、各直動部７２ｃ，７２ｃ，７２ｃに連結した状態の爪部７１，７１，７１がクランクシャフトＷの外周面に押し付けられる。また、この際、各直動部７２ｃ，７２ｃ，７２ｃに均等な大きさの油圧が作用することで、クランクシャフトＷが三方向から均等な力で押圧されるので、主軸４２と心押し台４３とでセンタリングされた状態を維持した状態で、クランクシャフトＷが支持装置７０により回転可能に支持される。
【００４２】
然る後、心押し台４３を後退させて、心押し台４３によるクランクシャフトＷの支持状態を解消する。これにより、クランクシャフトＷは、従前のセンタリング状態を維持したままで、主軸４２と支持装置７０により回転可能に支持された状態となる（図１５を参照）。
【００４３】
そして、この状態から、第一工具台４４の工具取付け部４４ａに装着した状態のねじタップ４９を、第一工具台４４の電動モータ４４ｂの出力軸４４ｂ１と連結した状態とし、電動モータ４４ｂの回転駆動によりねじタップ４９を回転させながら、クランクシャフトＷの主軸４２から遠い側の軸方向端面Ｗｃに予め形成しておいたねじ穴内部に導入する（図１５を参照）。これにより、軸方向端面Ｗｃにねじ穴が形成される（ねじタップ加工工程Ｓ１６）。
【００４４】
以上のようにして、クランクシャフトＷに対する複数の機械加工工程Ｓ１（Ｓ１１〜Ｓ１６）を施した後、図示しない搬送手段により、一又は複数のクランクシャフトＷを熱処理工程Ｓ２に搬送する。そして、熱処理装置２０で所定の熱処理（例えば焼入れ処理）を施した後、同じく図示しない搬送手段により、一又は複数のクランクシャフトＷを仕上げ加工工程Ｓ３に搬送する。そして、各研削加工装置３０ａ〜３０ｃ…でクランクシャフトＷの所定部位に研削等の仕上げ加工を施すことにより、クランクシャフトＷを所定の製品形状に仕上げる。この後、必要に応じて、洗浄、検査等を行うことで、製品としてのクランクシャフトＷが得られる。
【００４５】
このように、本発明に係る支持装置７０によれば、分岐して複数の油圧シリンダ７２，７２，７２にそれぞれ接続される油圧供給路７４（７４ａ，７４ｂ）を通じて、各油圧シリンダ７２，７２，７２の第一油室７２ａ，７２ａ，７２ａ又は第二油室７２ｂ，７２ｂ，７２ｂに油圧が供給されることにより、均等な大きさの油圧が各油圧シリンダ７２，７２，７２の直動部７２ｃ，７２ｃ，７２ｃに作用する。よって、各油圧シリンダ７２，７２，７２の作動により、対応する各爪部７１，７１，７１を介して自動的に複数の方向から均等な力でクランクシャフトＷの外周面を支持することができる。これにより、既にセンタリングされた状態のクランクシャフトＷの位置（センタリング位置）を維持しつつ、クランクシャフトＷの外周面を支持することが可能となる。従って、旋盤４０の主軸４２によりセンタリング状態で支持されるクランクシャフトＷに対して高精度な端面加工を施すことが可能となる。
【００４６】
また、本実施形態のように、三つの爪部７１，７１，７１でクランクシャフトＷの外周面を支持する構造とすることで、なるべく少ない数の爪部および油圧アクチュエータ部でクランクシャフトをセンタリング位置で精度よく維持することができる。
【００４７】
また、本実施形態に係るクランクシャフトＷの加工ライン１においては、センタリング工程Ｓ１２を実施するための装置を旋盤４０で構成すると共に、同一の旋盤４０で、センタリング工程Ｓ１２後の機械加工工程（例えばジャーナル部切削工程Ｓ１３など）を実施するための装置を構成した。これにより、センタリング工程Ｓ１２や全長決め工程Ｓ１１だけでなく、クランクシャフトＷの回転が必要となるジャーナル部切削工程Ｓ１３などの機械加工工程についても全て一台の機械加工装置１０（図３等を参照）で行うことができる。これにより各機械加工工程Ｓ１１〜Ｓ１３…を従来以上に集約することができるので、生産性の向上を図ることができ、また設備コストひいては生産コストの大幅な低減化が可能となる。
【００４８】
また、本実施形態に係るクランクシャフトＷの加工ライン１においては、従来、専用の加工装置（ミラー加工機など）を用いて行っていたピン部Ｗｂ外周面の切削加工を、旋盤４０を有する機械加工装置１０で実施可能とした。具体的には、旋盤４０と、クランクシャフトＷのピン部Ｗｂ外周面に切削加工を施すための切削用カッタ６１と、切削用カッタ６１を回転させる回転装置６２とを備えた切削ユニット６０を旋盤４０の第二工具台４５に装着し、第二工具台４５の電動モータ４５ｂで発生させた駆動力を利用して、切削用カッタ６１を回転可能とした。このように切削ユニット６０を構成することによって、旋盤４０の主軸４２でクランクシャフトＷを支持した状態で、ピン部Ｗｂの外周面に切削加工を実施することができる。これにより、ピン部切削工程Ｓ１４を含むセンタリング加工後の全ての機械加工工程Ｓ１３〜Ｓ１６についても一台の旋盤４０（機械加工装置１０）で行うことができる。従って、複数の機械加工工程をさらに集約することができ、更なる生産性の向上を図ることができると共に、設備コストひいては生産コストの更なる大幅な低減化が可能となる。
【００４９】
また、本実施形態に係るクランクシャフトＷの加工ライン１においては、全長決め工程Ｓ１１とセンタリング工程Ｓ１２、及びセンタリング工程Ｓ１２後の全ての機械加工工程Ｓ１３〜Ｓ１６で、旋盤４０の駆動装置（各工具台４４，４５に内蔵の電動モータ４４ｂ，４５ｂ）を利用して、クランクシャフトＷの保持及び機械加工を行うようにしたので、新たに専用の保持装置や加工装置を旋盤４０に取付けることなく、各機械加工工程Ｓ１１〜Ｓ１６を実施することができる。これにより、専用の装置を取付けたり取り外したりする手間を省いて、一台の旋盤４０上で各機械加工工程Ｓ１１〜Ｓ１６をスムーズに順次実施することが可能となる。
【００５０】
また、上述のように全ての機械加工工程Ｓ１１〜Ｓ１６を一台の機械加工装置１０で実施できるようにしたので、従来、場合によっては必要であった熱処理工程Ｓ２後のリセンタ加工工程を省略できる。すなわち、焼入れ等の熱処理を施すことによりクランクシャフトＷは少なからずひずみを生じる。そのため、従来の加工ラインにおいては、熱処理後にセンタリング加工をやり直す（リセンタ加工工程を熱処理工程Ｓ２の後に設ける）ことは半ば必須であったところ、本実施形態に係る加工ライン１のように、全ての機械加工工程Ｓ１１〜Ｓ１６を熱処理工程Ｓ２の前に実施することで、リセンタ加工工程を省略することができ、これにより更なる生産コストの低減化を図ることが可能となる。
【００５１】
また、本実施形態に係るクランクシャフトＷの加工ライン１においては、旋盤４０の駆動装置（第二工具台４５の電動モータ４５ｂ）でクランプ装置５０の油圧ポンプ５１を作動させ、当該作動により発生した油圧で油圧アクチュエータ５２（油圧シリンダ５５）を作動させて、クランクシャフトＷをクランプ可能な構成とした。これにより、電動モータ４５ｂを駆動源としつつも、電動モータ４５ｂで直接一対のクランプ部５３（５４）を作動させる場合と比べて大きなクランプ力を発揮することができる。よって、クランクシャフトＷを強固に保持して精度よく各種加工（端面切削加工、センタリング加工）を施すことが可能となる。また、電動モータ４５ｂを動力源として油圧アクチュエータを作動可能としたので、旋盤４０の周囲から電線や油圧ホースなどを延長して接続せずに済む。これにより、旋盤４０の可動部（心押し台４３、第一及び第二工具台４４，４５など）との干渉を回避して、複数の機械加工を一台の旋盤上でよりスムーズに順次実施することが可能となる。
【００５２】
以上、本発明の一実施形態について述べたが、本発明に係る長尺ワークの支持装置は、その趣旨を逸脱しない範囲において、上記以外の構成を採ることも可能である。
【００５３】
例えば上記実施形態では、油圧アクチュエータとして油圧シリンダ７２を採用した場合を例示したが、これ以外の油圧アクチュエータを採用することも可能である。例えば図示は省略するが、油圧アクチュエータとして、油圧の大きさに応じてトルクを出力する油圧モータを採用することも可能である。この場合、例えば油圧モータの出力軸（回転軸）にボールねじ機構の回転部を取付け、直動部に爪部７１を取付けることで、爪部７１を直線運動させる油圧アクチュエータを構成することが可能である。
【００５４】
また、爪部７１の形状、材質についても任意であり、例えばクランクシャフトＷとの摺動を考慮して接触面の形状や材質を設定してもよい。
【００５５】
また、上記実施形態では、三つの爪部７１，７１，７１と三つの油圧アクチュエータ部（油圧シリンダ７２，７２，７２）を有する支持装置７０を例示したが、もちろん、爪部や油圧アクチュエータの数は任意である。二つ以上の爪部７１と、爪部７１と同数の油圧アクチュエータ部とを有する限りにおいて、その数は任意に設定可能である。
【００５６】
また、上記実施形態では、第二工具台４５に内蔵の電動モータ４５ｂを駆動装置として支持装置７０を作動させる構成を例示したが、もちろん、これ以外の駆動装置を支持装置７０の駆動源として用いてもかまわない。また、その場合、支持装置７０を工具台（第一工具台４４，第二工具台４５）以外の旋盤４０の可動部に取付けて使用してもかまわない。
【００５７】
もちろん、旋盤４０を用いた上記一連の機械加工に悪影響を及ぼさないようであれば、支持装置７０を旋盤４０のベッド４１に固定してクランクシャフトＷを支持してもかまわない。また、この際、旋盤４０を用いた上記一連の機械加工に悪影響を及ぼさないようであれば、旋盤４０の外部から駆動力を得て支持装置７０を作動させてもかまわない。その場合、工具台は一台のみでも支障はない。
【００５８】
また、上記実施形態では、本発明に係る長尺ワークの支持装置を、クランクシャフトＷの加工ライン１に適用した場合を例示したが、もちろんこれ以外に適用することも可能である。すなわち、センタリングした状態の長尺ワークの外周面を支持可能な限りにおいて、任意の長尺ワークの製造ラインに本発明に係る支持装置を適用することが可能である。
【符号の説明】
【００５９】
１      クランクシャフトの加工ライン
１０    機械加工装置
２０    熱処理装置
３０ａ，３０ｂ，３０ｃ  研削加工装置
４０    旋盤
４１    ベッド
４２    主軸
４２ａ  チャック部
４３    心押し台
４４，４５  工具台
４４ａ，４５ａ  工具取付け部
４４ｂ，４５ｂ  電動モータ
４６    フライス
４７    ドリル
４８    切削用バイト
４９    ねじタップ
５０    クランプ装置
５１    油圧ポンプ
５２    油圧アクチュエータ
５３，５４  一対のクランプ部
５５    油圧シリンダ
５５ａ  第一油室
５５ｂ  第二油室
５５ｃ  直動部
５６    リンク部
５７ａ，５７ｂ  油圧供給路
５８    切替え弁
５９    貯油タンク
６０    切削ユニット
６１    切削用カッタ
６２    回転装置
６３    油圧ポンプ
６４    油圧モータ
６４ａ  回転軸
６６    連結部材
７０    支持装置
７１    爪部
７２    油圧シリンダ
７２ａ  第一油室
７２ｂ  第二油室
７２ｃ  直動部
７３    油圧ポンプ
７４，７４ａ，７４ｂ  油圧供給路
Ｓ１    機械加工工程
Ｓ２    熱処理工程
Ｓ３    仕上げ加工工程
Ｓ１１  全長決め工程
Ｓ１２  センタリング工程
Ｓ１３  ジャーナル部切削工程
Ｓ１４  ピン部切削工程
Ｓ１５  油穴加工工程
Ｓ１６  タップ加工工程
Ｗ      クランクシャフト
Ｗａ    ジャーナル部
Ｗｂ    ピン部
Ｗｃ    軸方向端面
【図１】
2019171518.tif 000003
【図２】
2019171518.tif 000004
【図３】
2019171518.tif 000005
【図４】
2019171518.tif 000006
【図５】
2019171518.tif 000007
【図６】
2019171518.tif 000008
【図７】
2019171518.tif 000009
【図８】
2019171518.tif 000010
【図９】
2019171518.tif 000011
【図１０】
2019171518.tif 000012
【図１１】
2019171518.tif 000013
【図１２】
2019171518.tif 000014
【図１３】
2019171518.tif 000015
【図１４】
2019171518.tif 000016
【図１５】
2019171518.tif 000017